(57)【要約】【課題】簡潔な構成で灯具を回動可能かつ任意の角度で停止でき、部品点数を減少させることができる照明器具を提供する。【解決手段】アーム２３と灯体２２とを回動可能に連結する回動部３０に、摩擦力を発生させるための付勢力を発生させる第１の弾性体３５を設けたので、灯体２３をアーム２２に対して任意の角度で回動を停止させることができる。また、第１の弾性体３５による付勢力を解除する操作部３６を第１の弾性体３５に設けたので、簡潔な構成で少ない部品点数の操作部３０により付勢力を解除することができ、摩擦力を解除して、灯体２３をアーム２２に対して容易に回動させることができる。【選択図】図２
2009245615.tif 000002
【特許請求の範囲】
【請求項１】
光源を有する灯体と、前記灯体を支持するアームとを有し、
前記アームと前記灯体とを回動可能に連結する回動部を有する照明器具であって、
前記回動部が、前記アームと前記灯体との回動を固定するための摩擦力を発生させるための付勢力を付与する第１の弾性体と、前記第１の弾性体の付勢力を付加もしくは解除させるために前記第１の弾性体に設けた操作部と、を備えたことを特徴とする照明器具。
【請求項２】
前記操作部により前記第１の弾性体による摩擦力を解除した場合に、前記アームと前記灯体との摩擦力を付与する第２の弾性体を備えたことを特徴とする請求項１記載の照明器具。
【発明の詳細な説明】
【技術分野】
【０００１】
本発明は、照射方向を変えることができる照明器具に関するものである。
【背景技術】
【０００２】
従来より、アームに支持された灯体の向きを変えることにより、照射方向を変えることができる照明器具が提案されている（例えば特許文献１参照）。
特許文献１に記載の照明器具１００は、病院等のベッドサイドに設けられるベッドライドであり、ベッドサイドの取付台等に取付けられて角度及び向きが調整可能なアーム１０１と、アーム１０１の先端に継ぎ手１０２を介して灯具１０３が取付けられている。継ぎ手１０２はＸ方向及びＹ方向に回動可能となっており、継ぎ手１０２内部に設けられているバネによって発生する摩擦力によって、灯具１０３のＸ方向及びＹ方向の回動は、任意の回動位置で停止できるようになっている。ただし、Ｘ方向の摩擦力は、灯具１０３が首振り状態とならないように摩擦力が大きく設定されている。
このため、灯具１０３をＸ方向へ回動させる場合には、灯具１０３に設けられている取っ手１０４を握ってワイヤ１０５を矢印方向へ引くことにより、Ｘ方向の回動を規制している摩擦力を小さくして、回動を行うようになっている。
【特許文献１】特開平２−１９７００８号公報（第１図）
【発明の開示】
【発明が解決しようとする課題】
【０００３】
しかしながら、前述した特許文献１に記載の照明器具１００においては、灯具１０３を回動させる際に、回動を規制している摩擦力を小さくためにワイヤ１０５や取っ手１０４を設けているので、部品点数が多く、組立性が悪いとともに、コストアップを招くという問題があった。
【０００４】
本発明は、従来の問題を解決するためになされたもので、簡潔な構成で灯具を回動可能かつ任意の角度で停止でき、部品点数を減少させることができる照明器具を提供することを目的とする。
【課題を解決するための手段】
【０００５】
本発明の照明器具は、光源を有する灯体と、前記灯体を支持するアームとを有し、前記アームと前記灯体とを回動可能に連結する回動部を有する照明器具であって、前記回動部が、前記アームと前記灯体との回動を固定するための摩擦力を発生させるための付勢力を付与する第１の弾性体と、前記第１の弾性体の付勢力を付加もしくは解除させるために前記第１の弾性体に設けた操作部と、を備えた構成を有している。
【０００６】
この構成により、アームと灯体とを回動可能に連結する回動部に、摩擦力を発生させるための付勢力を発生させる第１の弾性体を設けたので、灯体をアームに対して任意の角度で回動を停止させることができる。また、第１の弾性体による付勢力を解除する操作部を第１の弾性体に設けたので、簡潔な構成で少ない部品点数の操作部により付勢力を解除することができ、摩擦力を解除して、灯体をアームに対して容易に回動させることができる。
【０００７】
また、本発明の照明器具は、前記操作部により前記第１の弾性体による摩擦力を解除した場合に、前記アームと前記灯体との摩擦力を付与する第２の弾性体を備えた構成を有している。
【０００８】
この構成により、第１の弾性体による摩擦力を解除して灯体をアームに対して回動させる際に、第２の弾性体がアームと灯体との間の摩擦力を発生するので、灯体がアームに対してガクッと首振るのを防止することができる。
【発明の効果】
【０００９】
本発明は、アームと灯体とを回動可能に連結する回動部に、摩擦力を発生させるための付勢力を発生させる第１の弾性体を設けたので、灯体をアームに対して任意の角度で回動を停止させることができる。また、第１の弾性体による付勢力を解除する操作部を第１の弾性体に設けたので、簡潔な構成で少ない部品点数の操作部により付勢力を解除することができ、摩擦力を解除して、灯体をアームに対して容易に回動させることができるという効果を有する照明器具を提供することができるものである。
【発明を実施するための最良の形態】
【００１０】
以下、本発明の実施の形態の照明器具について、図面を用いて説明する。
図１（Ａ）は本発明の第１実施形態にかかる照明器具を前方から見た斜視図、図１（Ｂ）は同じく後方から見た斜視図、図２（Ａ）は操作部の非操作時を示す拡大断面図、図２（Ｂ）は操作部の操作時を示す拡大断面図である。
【００１１】
図１に示すように、本発明の第１実施形態にかかる照明器具１０は、光源であるランプ２１を有する灯体２２と、灯体２２を支持するアーム２３とを有し、アーム２３の先端部（ここでは下端部）と灯体２２とを回動可能に連結する回動部３０を有している。
【００１２】
なお、アーム２３の上端には、例えば取付け面である天井１１等に取付けられるライティングレール（図示省略）に沿って移動可能かつライティングレールから電力を供給されるライティングプラグ２４が取付けられている。アーム２３は、ライティングプラグ２４に対して、アーム２３の軸回りに回動可能に支持されている。
【００１３】
図２（Ａ）に示すように、回動部３０は灯体２２の上面２２ａから上方に突出して一体的に設けられており、例えば円筒形状の回動部本体３１及び蓋部３２を有している。蓋部３２には、アーム２３の回動を許容するための切欠き３２ａが設けられており、アーム２３の先端は切欠き３２ａから回動部本体３１の内部に挿入されている。
【００１４】
回動部本体３１の側面には切欠き３１ａが設けられており、切欠き３１ａ位置に対応して、灯体２２の上面２２ａから軸受片３３がＬ字状に上方へ折曲形成されている。この軸受片３３は、アーム２３の先端を灯体２２に回動可能に取付けている軸３４の一方の端部を軸支するものであり、軸３４の他方の端部は、回動部本体３１によって軸支されている。この軸３４はアーム２３の下端部を貫通するものであり、軸３４回りのアーム２３の回動を許容するとともに、その他の方向へのアーム２３の回動等を規制している。
【００１５】
軸３４の周囲には、回動部本体３１とアーム２３との間に第１の弾性体である第１のバネ３５が設けられており、第１のバネ３５は圧縮されていて、常時伸びる方向へ付勢力が作用している。第１のバネ３５とアーム２３との間には、操作部として断面コ字状の解除部材３６の解除壁３６ａが設けられており、解除部材３６は軸３４に沿って往復移動可能となっている。従って、解除部材３６の移動によって、解除壁３６ａが第１のバネ３５を圧縮することができるようになっている。
また、解除壁３６ａに対向する解除部材３６の操作壁３６ｂは、回動部本体３１の切欠き３１ａから外部に露出しており、外面には操作ボタン３７が取付けられている。
【００１６】
なお、解除部材３６の上壁３６ｃには切欠き３６ｄが設けられており、解除部材３６を移動させた際に、上壁３６ｃがアーム２３に干渉しないようになっている。また、解除部材３６の解除壁３６ａの内面とアーム２３との間には、ワッシャー３８が設けられており、解除部材３６の上壁３６ｃに設けられている切欠き３６ｄとアーム２３との位置関係を調整している。
【００１７】
従って、操作ボタン３７（すなわち解除部材３６）を操作しない通常状態では、第１のバネ３５の付勢力により、解除部材３６の解除壁３６ａ及びワッシャー３８がアーム２３の一方の面（図２（Ａ）において右面）に押し付けられ、アーム２３の他方の面（左面）は軸受片３３に押し付けられる。これにより、アーム２３と軸受片３３及び解除部材３６との間には摩擦力作用することになり、アーム２３と灯体２２との回動角度を一定の状態に固定して支持する。
【００１８】
なお、アーム２３と軸受片３３との間の摩擦係数を非常に小さくし、かつ、アーム２３とワッシャー３８との間の摩擦係数を大きくしておくのが望ましい。これにより、灯具２２の固定にネジ等の締結部品を使用していないため、締め付け力の設定や使用中の緩み等を考える必要がなく、安定した保持力を得ることができる。
【００１９】
一方、灯体２２の角度を変えたい場合には、図２（Ｂ）に示すように、操作ボタン３７を矢印方向へ押し込んで、解除部材３６を移動させ、解除壁３６ａによって第１のバネ３５を圧縮する。これにより、アーム２３の右側面を押圧していた第１のバネ３５の付勢力が解除され、アーム２３とワッシャー３８及び解除壁３６ａとの間の摩擦力を解除することができる。この状態ではアーム２３に対して灯体２２は回動自由なので、灯体２２を所望の向きに回動させることができる。灯体２２の回動を行った後は、操作ボタン３７を離すことにより、解除部材３６は第１のバネ３５によって原点（図２（Ａ）の位置）まで押し戻されるので、第１のバネ３５による摩擦力が発生して、灯体２２の回動は固定される。
【００２０】
なお、解除部材３６を移動させて第１のバネ３５を解除した際に、第１のバネ３５が回動部本体５１を押すことにより軸受片３３がアーム２３に押し付けられても、アーム２３と軸受片３３との間の摩擦係数を非常に小さくしておくことにより、アーム２３は容易に回動することができる。
【００２１】
以上、説明した本発明の第１実施形態にかかる照明器具１０によれば、アーム２３と灯体２２とを回動可能に連結する回動部３０に、摩擦力を発生させるための付勢力を発生させる第１のバネ３５を設けたので、灯体２２をアーム２３に対して任意の角度で回動を停止させることができる。また、第１のバネ３５による付勢力を解除する操作部材３６を第１のバネ３５に設けたので、簡潔な構成で少ない部品点数の解除部材３６により付勢力を解除することができ、摩擦力を解除して、灯体２２をアーム２３に対して容易に回動させることができる。
【００２２】
次に、本発明の第２実施形態にかかる照明器具について説明する。
図３は（Ａ）は操作部の非操作時を示す拡大断面図、図３（Ｂ）は操作部の操作時を示す拡大断面図である。なお、前述した第１実施形態にかかる照明器具１０と共通する部位には同じ符号を付して、重複する説明を省略することとする。
【００２３】
図３に示すように、本発明の第２実施形態にかかる照明器具１０Ｂでは、第１実施形態にかかる照明器具１０において、ワッシャー３８と解除部材３６の解除壁３６ａとの間に、第２の弾性体である第２のバネ３９を設けた。この第２のバネ３９は、操作ボタン３７を押して第１のバネ３５による摩擦力を解除した場合に、アーム２３と灯体２２との間に摩擦力を付与するものである。
【００２４】
第２のバネ３９は、解除部材３６を移動させた解除状態においても圧縮されており、常時伸びる方向へ付勢力を作用させている。また、第２のバネ３９のバネ定数は、第１のバネ３５のバネ定数よりも小さく設定しており、第２のバネ３９による付勢力は第１のバネ３５による付勢力に比して小さくなっている。
【００２５】
従って、通常状態においては、第２のバネ３９は第１のバネ３５によって完全に圧縮されてそれ以上圧縮しない状態となっており、第１のバネ３５により摩擦力で灯体２２の回動が固定されることになる。なお、第１実施形態において前述したように、アーム２３と軸受片３３との間の摩擦係数を非常に小さくし、かつ、アーム２３とワッシャー３８との間の摩擦係数を大きくしておくのが望ましい。
【００２６】
一方、灯体２２の角度を変えたい場合には、図３（Ｂ）に示すように、操作ボタン３７を矢印方向へ押し込んで、解除部材３６を移動させ、解除壁３６ａによって第１のバネ３５を圧縮する。このとき、第２のバネ３９の付勢力により、ワッシャー３８がアーム２３に押し付けられて摩擦力を発生する。第２のバネ３９の付勢力は第１のバネ３９の付勢力に比して小さいため、アーム２３と灯体２２との間に生じる摩擦力は小さいため、灯体２２の向きを容易に変えることができる。なお、第２のバネ３９による摩擦力を、灯体２２が自重によって落下しない程度の大きさに設定する。
【００２７】
以上、説明した本発明の第２実施形態にかかる照明器具１０Ｂによれば、前述した第１実施形態にかかる照明器具１０と同様の作用・効果を得ることができる。さらに、灯体２２の向きを変える際に、第２のバネ３９がアーム２３と灯体２２との間の摩擦力を発生するので、灯体２２がアーム２３に対して自重によってガクッと首振るのを防止することができる。
【００２８】
なお、本発明の照明器具は、前述した各実施形態に限定されるものでなく、適宜な変形，改良等が可能である。
例えば、前述した各実施形態においては、天井１１から吊下げられて使用される照明器具１０、１０Ｂについて例示したが、本発明の照明器具は、アームが例えば机等の台に旋回や回動可能に設けられるものについても適用可能である。
【図面の簡単な説明】
【００２９】
【図１】（Ａ）は本発明の第１実施形態にかかる照明器具を前方から見た斜視図、（Ｂ）は同じく後方から見た斜視図
【図２】（Ａ）は第１実施形態にかかる照明器具における操作部の非操作時を示す拡大断面図、（Ｂ）は操作部の操作時を示す拡大断面図
【図３】（Ａ）は第２実施形態にかかる照明器具における操作部の非操作時を示す拡大断面図、（Ｂ）は操作部の操作時を示す拡大断面図
【図４】従来の照明器具を示す斜視図
【符号の説明】
【００３０】
１０  照明器具
２１  ランプ（光源）
２２  灯体
２３  アーム
３０  回動部
３５  第１のバネ（第１の弾性体）
３６  解除部材（操作部）
３９  第２のバネ（第２の弾性体）
【図１】
2009245615.tif 000003
【図２】
2009245615.tif 000004
【図３】
2009245615.tif 000005
【図４】
2009245615.tif 000006